(57)【特許請求の範囲】
【請求項１】
複数のピクセル群を備えるピクセル構造と、ピクセル駆動回路とを含むディスプレイであって、
各ピクセル群に二つ以上のピクセルユニットが含まれ、それぞれのピクセルユニットに第1サブピクセル、第2サブピクセル及び第3サブピクセルが含まれ、各前記第1サブピクセルと第2サブピクセルがそれぞれ一つの第1ピクセル駆動回路と第2ピクセル駆動回路に接続され、同一のピクセル群におけるすべての第3サブピクセルが同一の第3ピクセル駆動回路に接続され、
前記第3ピクセル駆動回路は、それに接続された同じピクセル群におけるすべての第3サブピクセルの輝度データを受信して、全部の輝度データによる平均輝度に基づいて、接続されたすべての第3サブピクセルを駆動することを特徴とする、ディスプレイ。
【請求項２】
前記第1サブピクセルと第2サブピクセルはそれぞれ赤色サブピクセルと緑色サブピクセルであり、前記第3サブピクセルは青色サブピクセルであることを特徴とする請求項1に記載のディスプレイ。
【請求項３】
前記赤色サブピクセルと緑色サブピクセルの輸送層或は遮断層の材料は青色サブピクセルの発光層の材料を共用することを特徴とする請求項2に記載のディスプレイ。
【請求項４】
前記ピクセル群における第1サブピクセルと第2サブピクセルは行列になるように配列されることを特徴とする請求項1に記載のディスプレイ。
【請求項５】
同一のピクセル群におけるすべての第3サブピクセルは互いに接続されることを特徴とする請求項1に記載のディスプレイ。
【請求項６】
任意の2つのピクセル群の構造は同じであることを特徴とする請求項1に記載のディスプレイ。
【請求項７】
ディスプレイの駆動方法であって、
ディスプレイのピクセル構造を複数のピクセル群に区分し、ピクセル群ごとに二つ以上のピクセルユニットを含ませ、それぞれのピクセルユニットに第1サブピクセル、第2サブピクセルと第3サブピクセルを含ませるステップと、
各前記第1サブピクセルと第2サブピクセルをそれぞれ一つの第１ピクセル駆動回路と第2ピクセル駆動回路に接続し、各第1ピクセル駆動回路と第2ピクセル駆動回路がそれぞれ、接続された第1サブピクセルと第2サブピクセルの輝度データを受信して、輝度データに基づいて対応する第1サブピクセルと第2サブピクセルを駆動するようにするステップと、
同一のピクセル群におけるすべての第3サブピクセルを同一の第3ピクセル駆動回路に接続し、前記第3ピクセル駆動回路が、接続された同一のピクセル群におけるすべての第3サブピクセルの輝度データを受信して、予め設定されたルールで出力輝度を計算して当該出力輝度に基づいて接続されたすべての第3サブピクセルを駆動するようにするステップと、
を有し、
前記予め設定されたルールは平均値を計算することであることを特徴とするディスプレイの駆動方法。
【請求項８】
前記同一のピクセル群におけるすべての第3サブピクセルは互いに接続されることを特徴とする請求項7に記載のディスプレイの駆動方法。
【発明の詳細な説明】
【技術分野】
【０００１】
本発明は、フラットパネルディスプレイ技術に関し、特にディスプレイと当該ディスプレイの駆動方法に関するものである。
【背景技術】
【０００２】
技術の進展に従い、ディスプレイ解像度に対するユーザ要求がますます高まっている。解像度はPPI（pixels per inch、インチごとのピクセルの数）で計量することができる。表示原理からわかるように、ピクセルユニットにおけるサブピクセルはすべてピクセル駆動回路で駆動されることにより発光するため、ピクセル解像度を高めるために、単位面積あたりにより多くのピクセルユニットを入れる必要があるとともに、さらに多くのピクセル駆動回路も必要がある。
【０００３】
従来のRGBサブピクセルが並置排列されたディスプレイを例にすると、500PPI以上の解像度を実現するために、ピクセルユニットのサイズを51×51（μm）未満にして、サブピクセルのサイズを17×51（μm）未満にする必要がある。一方、ピクセル回路は、普通、複数の薄膜トランジスター（TFT）とキャパシタによって構成され（例えば6T2C回路である）、従来の技術では、サイズが17×51（μm）以下のサブピクセルに適する駆動回路を作成することが難しい。
【発明の概要】
【発明が解決しようとする課題】
【０００４】
上記現状に鑑みて、従来の回路よりもピクセル駆動回路の数を減らすことができるディスプレイを提供する必要がある。
【０００５】
さらにディスプレイの駆動方法を提供する必要がある。
【課題を解決するための手段】
【０００６】
複数のピクセル群を備えるピクセル構造と、ピクセル駆動回路とを含むディスプレイであって、各ピクセル群に二つ以上のピクセルユニットが含まれ、それぞれのピクセルユニットに第1サブピクセル、第2サブピクセルと第3サブピクセルが含まれ、各前記第1サブピクセルと第2サブピクセルがそれぞれ一つの第1ピクセル駆動回路と第2ピクセル駆動回路に接続され、同一のピクセル群におけるすべての第3サブピクセルが共通の第3ピクセル駆動回路に接続される。
【０００７】
その一実施例において、前記第1サブピクセルと第2サブピクセルはそれぞれ赤色サブピクセルと緑色サブピクセルであり、前記第3サブピクセルは青色サブピクセルである。
【０００８】
その一実施例において、前記赤色サブピクセルと緑色サブピクセルの輸送層或は遮断層の材料は青色サブピクセルの発光層の材料を共用する。
【０００９】
その一実施例において、前記ピクセル群における第1サブピクセルと第2サブピクセルは行列になるように配列される。
【００１０】
その一実施例において、同一のピクセル群におけるすべての第3サブピクセルは互いに接続される。
【００１１】
その一実施例において、前記第3ピクセル駆動回路は、それに接続された同じピクセル群におけるすべての第3サブピクセルの輝度データを受信して、全部の輝度データによる平均輝度に基づいて、接続されたすべての第3サブピクセルを駆動する。
【００１２】
その一実施例において、任意の2つのピクセル群の構造は同じである。
【００１３】
また、本発明によるディスプレイの駆動方法は、
ディスプレイのピクセル構造を複数のピクセル群に区分し、ピクセル群ごとに二つ以上のピクセルユニットを含ませ、それぞれのピクセルユニットに第1サブピクセル、第2サブピクセルと第3サブピクセルを含ませるステップと、
各前記第１サブピクセルと第２サブピクセルをそれぞれ一つの第1ピクセル駆動回路と第2ピクセル駆動回路に接続し、各第1ピクセル駆動回路と第2ピクセル駆動回路がそれぞれ、接続された第1サブピクセルと第2サブピクセルの輝度データを受信して、輝度データに基づいて対応する第1サブピクセルと第2サブピクセルを駆動するようにするステップと、
同一のピクセル群におけるすべての第3サブピクセルを共通の第3ピクセル駆動回路に接続し、前記第3ピクセル駆動回路が接続された同一のピクセル群におけるすべての第3サブピクセルの輝度データを受信して、予め設定されたルールで出力輝度を計算して当該出力輝度に基づいて接続されたすべての第3サブピクセルを駆動するステップと、
を有する。
【００１４】
その一実施例において、前記予め設定されたルールは平均値を計算することである。
【００１５】
その一実施例において、前記同一のピクセル群におけるすべての第3サブピクセルは互いに接続される。
【００１６】
上記ディスプレイ及びその駆動方法によれば、同一のピクセル群における複数の第3サブピクセルは一つのピクセル駆動回路を使って同じ輝度データで駆動することができ、ピクセル駆動回路の数を減らして、高解像度のピクセル駆動に有利な条件を提供することができる。
【図面の簡単な説明】
【００１７】
【図１】一つのピクセル群の構造とこれに対応するピクセル駆動回路を示す図である。
【図２】第１実施例の一種のピクセル群の構造とこれに対応するピクセル駆動回路を示す図である。
【図３（ａ）】第２実施例の四種類のピクセル群の構造とこれらに対応するピクセル駆動回路を示す図である。
【図３（ｂ）】第２実施例の四種類のピクセル群の構造とこれらに対応するピクセル駆動回路を示す図である。
【図３（ｃ）】第２実施例の四種類のピクセル群の構造とこれらに対応するピクセル駆動回路を示す図である。
【図３（ｄ）】第２実施例の四種類のピクセル群の構造とこれらに対応するピクセル駆動回路を示す図である。
【図４】第３実施例の一種のピクセル群の構造とこれに対応するピクセル駆動回路を示す図である。
【発明を実施するための形態】
【００１８】
以下は、図面と実施例を参照しながら本発明をさらに説明する。
【００１９】
ピクセル構造とピクセル駆動回路とを含むディスプレイであって、前記ピクセル構造は複数のピクセル群を含み、各ピクセル群が二つ以上のピクセルユニットを含み、前記ピクセルユニットが第１サブピクセル、第２サブピクセルと第３サブピクセルを含む。前記ピクセル駆動回路は複数の第１ピクセル駆動回路、第２ピクセル駆動回路と第３ピクセル駆動回路を含む。図１は、一個のピクセル群の構造とこれに対応するピクセル駆動回路を示す図である。当該ピクセル群10は四つのピクセルユニット100を含み、各ピクセルユニット100が第１サブピクセル110、第２サブピクセル120と第３サブピクセル130を含む。各第１サブピクセル110と第２サブピクセル120はそれぞれ第１ピクセル駆動回路と第２ピクセル駆動回路に接続される。同時に、当該ピクセル群10におけるすべての第３サブピクセル130は共通の第３ピクセル駆動回路に接続される。
【００２０】
具体的には、図１に示されたように、前記ピクセル群において、第１サブピクセル110と第２サブピクセル120はそれぞれ赤色サブピクセル（R）と緑色サブピクセル（G）であり、第３サブピクセル130は青色サブピクセル（B）である。即ち、前記ピクセル群における各赤色サブピクセル（R）は各一つのRピクセル駆動回路に接続され、前記ピクセル群における各緑色サブピクセル（G）は各一つのGピクセル駆動回路に接続され、前記ピクセル群におけるすべての青色サブピクセル（B）は共通のBピクセル駆動回路に接続される。その中、前記青色サブピクセル（B）はマスク板（shadow mask）で青色サブピクセルの位置に蒸着されて生成されてもよく、マスク板（shadow mask）でピクセル群の全体位置に蒸着されて生成されてもよく、マスク板（open mask）でピクセル構造の位置に全面に蒸着されて生成されてもよい。青色サブピクセル（B）がどのような方法で蒸着形成されても、ピクセル群単位で一つのBピクセル駆動回路に接続される。即ち、各ピクセル群におけるすべての青色サブピクセル（B）が同じBピクセル駆動回路に接続される。
【００２１】
本発明はさらにディスプレイの駆動方法を提供する。当該ディスプレイの駆動方法は以下のステップを含む。
【００２２】
即ち、ディスプレイのピクセル構造を複数のピクセル群に区分し、ピクセル群ごとに二つ以上のピクセルユニットを含ませ、ピクセルユニットに第１サブピクセル、第２サブピクセルと第３サブピクセルを含ませるステップ、
各前記第１サブピクセル及び第２サブピクセルを、それぞれ一つの第１ピクセル駆動回路と第２ピクセル駆動回路に接続し、各第１ピクセル駆動回路と第２ピクセル駆動回路がそれぞれ、接続された第１サブピクセルと第２サブピクセルの輝度データを受信して、輝度データに基づいて、対応する第１サブピクセルと第２サブピクセルを駆動するようにするステップ、及び
同一のピクセル群におけるすべての第３サブピクセルを共通の第３ピクセル駆動回路に接続し、前記第３ピクセル駆動回路が、接続された同一のピクセル群におけるすべての第３サブピクセルの輝度データを受信して、予め設定されたルールで出力輝度を計算して当該出力輝度に基づいて接続されたすべての第３サブピクセルを駆動するようにするステップ。
【００２３】
予め設定されたルールは平均値を計算することが好ましい。即ち受信されたすべての輝度データを合算し平均値を求め、当該輝度平均値をすべての第３サブピクセル130の駆動に利用する。
【００２４】
人の視角特性に対する研究によれば、人間の目には三種類の錐体視細胞があり、それぞれ赤光線、緑光線と青光線に対し敏感である。この三種類の錐体視細胞の相対密度が異なり、例えば青色の錐体視細胞の数量はその他の二種類と比べてはるかに少なく、約6%しかない。よって、人間の目は各色を認識する能力が異なり、例えば青色の視角は約0.25°であるのに対し、赤色または緑色の視角は約0.12°である。例えば、30cm離れた場合、0.25°の視角はディスプレイ上の1270μmに対応する。青色ピクセルのピッチが上記距離の半分未満（625μm未満）であれば、色が混合し画像の品質低下が発生しない。よって、たとえ青色光の解像度を数倍減らしても、画像の品質に対する人間の目の感覚が影響されない。よって、青色に対する人間の目の敏感度が低い特性によって、殆ど画像品質が低下することなく、同じピクセル群における複数の青色サブピクセルを同じピクセル駆動回路を使って同じ輝度データで駆動することができる。これにより、ピクセル駆動回路の数を減らして、高解像度のピクセル駆動に有利な条件を提供することができる。
【００２５】
さらに、赤色サブピクセルと緑色サブピクセルの輸送層或は遮断層の材料は青色サブピクセルの発光層の材料を共用してもよい。これにより、さらにディスプレイの空間を利用でき、ピクセル解像度が高められる。
【００２６】
さらに、ピクセル群10における第１サブピクセル110と第２サブピクセル120は行列になるように配列される。例えば四つのピクセルユニット100において合計４つの第１サブピクセル110と４つの第２サブピクセル120があるが、当該８つのサブピクセルは図１に示す2×4の陣列を構成することができる。第３サブピクセル130の位置は相対的に自由であり、固定されなくてもよいが、色表示を実現できるように、対応する第１サブピクセル110及び４つの第２サブピクセル120と共に完全なピクセルユニット100を構成すればよい。
【００２７】
さらに、ピクセル群10においてすべての第３サブピクセル130は互いに接続されてもよく、互いに離れてもよく、全表面に亘って一体であってもよい。
【００２８】
作製を容易にするために、ディスプレイのピクセル群の構造は何れも同様とする。
【００２９】
以下は、幾つかの具体的なピクセル群構造例を挙げて、ディスプレイのピクセル構造、対応するピクセル駆動回路及びディスプレイの駆動方法を説明する。
【００３０】
図2は第１実施例のピクセル群の構造とこれに対応するピクセル駆動回路を示す図である。一個のピクセル群において、それぞれ２つの赤色サブピクセルと２つの緑色サブピクセルがあり、且つ各赤色サブピクセルと緑色サブピクセルはそれぞれ一つのピクセル駆動回路（例えば6T1C回路である）に対応する。青色サブピクセルの数量と位置は限定せず、いずれの組の赤色サブピクセルと緑色サブピクセルにも青色サブピクセルが対応してそれぞれのピクセルユニットを構成できれば、青色サブピクセルの位置は様々なパターンをとることができる。本実施例において、同一ピクセル群における青色サブピクセルは互いに接続されている。同じピクセル群における青色サブピクセルが互いに接続されなくて、ピクセルユニットを単位として互いに独立に蒸着されて形成されてもよいことは、当業者にとって理解できる。但し、青色サブピクセルは何の形で排列されたとしても、ピクセル群において異なる位置の青色サブピクセルはアノードを経由して同じピクセル駆動回路に接続されている。 当該ピクセル群は、５つのピクセル駆動回路を備えている。従来のRGB並置ピクセル排列方式なら、６つのピクセル駆動回路を持っているが、本発明は従来のRGB並置ピクセル排列方式に比べれば、ピクセル駆動回路を１個減らした。
【００３１】
本実施例に係るピクセル構造は複数の前記ピクセル群を含み、本実施例は前記ピクセル構造とピクセル駆動回路を含むディスプレイを提供する。
【００３２】
本実施例はさらにディスプレイの駆動方法を提供する。当該ディスプレイの駆動方法は以下のステップを含む。即ち、
ディスプレイのピクセル構造を複数のピクセル群に区分し、ピクセル群ごとに二つのピクセルユニットを含ませ、各前記ピクセルユニットに赤色サブピクセル、緑色サブピクセル、及び青色サブピクセルを含ませるステップと、
各ピクセル群における赤色サブピクセルと緑色サブピクセルを、それぞれ一つの赤色ピクセル駆動回路と一つの緑色ピクセル駆動回路に接続し、各赤色ピクセル駆動回路と緑色ピクセル駆動回路がそれぞれに接続されたサブピクセルの輝度データを受信して、輝度データに基づいて対応するサブピクセルを駆動するようにするステップと、
同一のピクセル群におけるすべての青色サブピクセルを共通の青色ピクセル駆動回路に接続し、前記共通の青色ピクセル駆動回路が接続されたすべての青色サブピクセルの輝度データを受信して、予め設定されたルールで出力輝度を計算して当該出力輝度に基づいて接続されたすべての青色サブピクセルを駆動するようにするステップとを含む。予め設定されたルールは平均値を計算することが好ましい。即ち、受信されたすべての輝度データを合算し平均値を計算した後、すべての青色サブピクセルの駆動に当該輝度平均値を利用する。
【００３３】
図3（a）〜図3（d）は第2実施例の4種類のピクセル群の構造とこれらに対応するピクセル駆動回路を示す図である。本実施例において、図3（a）〜図3（d）に示すように、一個のピクセル群は4つのピクセルユニットを備え、即ち一個のピクセル群は4つの赤色サブピクセルと4つの緑色サブピクセルを備え、且つ各赤色サブピクセルと緑色サブピクセルにそれぞれ一つのピクセル駆動回路（例えば6T1C回路）が対応している。青色サブピクセルの数量と位置は限定せず、いずれの組の赤色サブピクセルと緑色サブピクセルにも青色サブピクセルが対応してそれぞれのピクセルユニットを構成すれば、青色サブピクセルの位置は様々なパターンをとることができる。本実施例において、同一ピクセル群における青色サブピクセルは互いに接続されている。同じピクセル群における青色サブピクセルが互いに接続されなくて、ピクセルユニットを単位として独立に蒸着されて形成されてもよく、ピクセル群を単位として全面に蒸着されて形成されてもよいことは、当業者にとって理解できる。図3（a）〜図3（d）は青色サブピクセルの位置及び数量が異なる４種の状態を示す。図3（a）と図3（c）においてはそれぞれに独立した2つの青色サブピクセルがあるが、各青色サブピクセルは一行になっている2組の赤色サブピクセルと緑色サブピクセルに対応する。青色サブピクセルが何の形で排列されたとしても、ピクセル群内の異なる位置の青色サブピクセルはアノードを経由して同一のピクセル駆動回路に接続する。図3（b）と図3（d）は何れも、互いに接続された2つの青色サブピクセルを備えるが、これらはそれぞれ図3（a）と図3（c）の構造に基づいて、異なる位置して独立している青色サブピクセル同士を互いに接続して形成した構成である。接続部は青色サブピクセルの材料を使ってもよい。当該ピクセル群に合計９つのピクセル駆動回路がある。従来のRGB並置ピクセル排列方式では、12個のピクセル駆動回路があったが、本発明は従来のRGB並置ピクセル排列方式に比べれば、ピクセル駆動回路を3個減らした。
【００３４】
本実施例におけるピクセル構造は複数の前記ピクセル群を含み、本実施例は前記ピクセル構造とピクセル駆動回路を含むディスプレイを提供する。
【００３５】
本実施例はさらにディスプレイの駆動方法を提供するが、当該駆動方法は第１実施例の駆動方法と類似しているので、その説明を省略する。
【００３６】
図4は第3実施例のピクセル群の構造とこれに対応するピクセル駆動回路を示す図である。本実施例のピクセル群は更に多いピクセルユニットを備える。図4に示すように、一個のピクセル群は１６個の赤色サブピクセルと16個の緑色サブピクセルを備え、且つ各赤色サブピクセルと緑色サブピクセルにそれぞれ一つのピクセル駆動回路（例えば6T1C回路）が対応している。青色サブピクセルの数量と位置は限定せず、何れの組の赤色サブピクセルと緑色サブピクセルにも青色サブピクセルが対応してそれぞれのピクセルユニットを構成すれば、青色サブピクセルの位置は様々なパターンをとることができる。本実施例において、同一ピクセル群における青色サブピクセルは互いに接続されているが、同一ピクセル群における青色サブピクセルが互いに接続されなくて、ピクセルユニットを単位として独立に蒸着されて形成されてもよく、ピクセル群を単位として全面に蒸着されて形成されてもよいことは、当業者にとって理解できる。青色サブピクセルが何の形で排列されたとしても、ピクセル群内の異なる位置の青色サブピクセルはアノードを経由して同一のピクセル駆動回路に接続される。当該ピクセル群に合計33個のピクセル駆動回路がある。従来のRGB並置ピクセル排列方式では、48個のピクセル駆動回路があるが、本発明は従来のRGB並置ピクセル排列方式に比べれば、ピクセル駆動回路を15個減らした。
【００３７】
本実施例におけるピクセル構造は複数の前記ピクセル群を含み、本実施例は前記ピクセル構造とピクセル駆動回路を含むディスプレイを提供する。
【００３８】
本実施例はさらにディスプレイの駆動方法を提供するが、当該駆動方法は第1実施例の駆動方法と類似しているので、その説明を省略する。
【００３９】
当業者であればわかるように、一つのピクセル群において、上記個数とは異なるｎ個の赤色サブピクセルとｎ個の緑色サブピクセル（ｎは１より大きいの整数である）を含んでもよい。この場合、従来のRGB並置ピクセル排列方式に比べて、ｎ-1個のピクセル駆動回路を減らすことができる。
【００４０】
本発明の実施例と図面は、赤色サブピクセルを第1サブピクセルとし、緑色サブピクセルを第2サブピクセルとし、青色サブピクセルを第3サブピクセルとして例を挙げて技術案を説明したが、本発明はこれに限られない。例えば、緑色或は青色のサブピクセルを第1サブピクセルとしてもよく、赤色或は青色のサブピクセルを第2サブピクセルとしてもよく、赤色或は緑色のサブピクセルを第3サブピクセルとしてもよい。
【００４１】
以上によって、上記ディスプレイ及びその駆動方法は、同一のピクセル駆動回路を使って同じ輝度データで、同一のピクセル群における複数の第3サブピクセルを駆動することができ、ピクセル駆動回路の数を減らして、高解像度のピクセル駆動に有利な条件を提供することができる。
【００４２】
上述した実施例によって本発明の幾つかの実施形態を具体的且つ詳細に説明したが、本発明は上記実施例の構成に限定されるものではない。当業者は本発明の要旨を逸脱しない範囲内で変形と改良等をしても、本発明の範囲に含まれることは勿論である。すなわち、本発明の保護範囲は特許請求の範囲を基準とする。
【図１】
0006581196.tif 000002
【図２】
0006581196.tif 000003
【図３（ａ）】
0006581196.tif 000004
【図３（ｂ）】
0006581196.tif 000005
【図３（ｃ）】
0006581196.tif 000006
【図３（ｄ）】
0006581196.tif 000007
【図４】
0006581196.tif 000008